(57)【要約】【課題】電気光学装置の消費電力を低減する。【解決手段】データ線ドライバ１３に電流を供給するものであって、その電流の供給能力を切り替え可能な第２表示体電源２０と、複数の画素によって表示されている画像を書き換えるための負荷を解析し、負荷に応じて第２表示体電源２０の電流供給能力を切り替えた後、複数の画素によって表示されている画像を書き換える表示体コントローラ１８とを備えた電気光学装置。【選択図】図１
2011221095.tif 000002
【特許請求の範囲】
【請求項１】
複数の走査線と、
前記複数の走査線に対して交差する複数のデータ線と、
前記複数の走査線のうち一の走査線と前記複数のデータ線のうち一のデータ線との交点に対応して設けられた画素と、
前記画素と前記一のデータ線との間に電気的に接続された駆動トランジスタと、
前記複数の走査線が電気的に接続された走査線駆動回路と、
前記複数のデータ線に電気的に接続され、表示される画像に応じて前記複数のデータ線のうち一のデータ線に複数のデータ信号を順次出力するデータ線駆動回路と、
前記データ線駆動回路に電流を供給するものであって、該電流の供給能力を切り替え可能な電源回路と、
複数の前記画素によって表示されている画像を書き換えるための負荷を解析し、前記負荷に応じて前記電源回路の電流供給能力を切り替えた後、前記データ線駆動回路に前記複数のデータ信号のうち一のデータ信号を出力させるコントローラと
を備えたことを特徴とする電気光学装置。
【請求項２】
前記コントローラが、
前記複数の走査線のうち第１の走査線を選択する前に、該第１の走査線に対応する複数の前記画素によって次に表示される第１の画像を表す第１の画像データと、前記複数の走査線のうち直前に選択された第２の走査線に対応する複数の前記画素によって表示される第２の画像を表す第２の画像データと、を比較することによって、
表示状態が互いに異なる２つの画素双方に対応する一の前記データ線を特定し、前記負荷を解析する
ことを特徴とする請求項１に記載の電気光学装置。
【請求項３】
前記コントローラが、前記特定されたデータ線の数に応じて、前記負荷に応じた前記電源回路の電流供給能力の切り替え、を行う
ことを特徴とする請求項２に記載の電気光学装置。
【請求項４】
前記電源回路が、演算増幅器を用いたボルテージフォロワを複数有するものであり、
前記コントローラが、前記電源回路の電流供給能力を引き下げる際に、その複数の演算増幅器のうちの少なくとも１つの動作を制限する
ことを特徴とする請求項１から３のいずれか１項に記載の電気光学装置。
【請求項５】
請求項１から４のいずれか１項に記載の電気光学装置を備えたことを特徴とする電子機器。
【請求項６】
複数の走査線と、
前記複数の走査線に対して交差する複数のデータ線と、
前記複数の走査線のうち一の走査線と前記複数のデータ線のうち一のデータ線との交点に対応して設けられた画素と、
前記画素と前記一のデータ線との間に電気的に接続された駆動トランジスタと、
前記複数の走査線が電気的に接続された走査線駆動回路と、
前記複数のデータ線が電気的に接続されたデータ線駆動回路と、
前記データ線駆動回路に電流を供給するものであって、該電流の供給能力を切り替え可能な電源回路と
を備える電気光学装置の制御方法であって、
複数の前記画素によって表示されている画像を書き換えるための負荷を解析し、前記負荷に応じて前記電源回路の電流供給能力を切り替えた後、前記複数の画素によって表示されている画像を書き換える
ことを特徴とする電気光学装置の制御方法。
【発明の詳細な説明】
【技術分野】
【０００１】
本発明は、電気的に光学的状態を変化させる媒体を備える電気光学装置及びその制御方法並びに電子機器に関する。
【背景技術】
【０００２】
電気的に光学的状態を変化させる媒体の一つである記憶性表示体は、表示を保持する特性をもつため、画面の内容に変化がなければ駆動する必要がない。一方、記憶性表示体は、書き換え動作に対するレスポンスが遅いという欠点がある。特に走査線数が増大する大型、または高精細なものになると表示品位への影響が顕著に現れる。
【０００３】
これを解決する方法の一例が、特許文献１に記載されている。特許文献１に記載されている方法では、記憶性表示体の書き換え前の画像及び書き換え後の画像について、各行が空行であるかどうかを示すフラグが記憶されるようになっている。画面を書き換えようとする際は、フラグが参照され、空行については書き換えがスキップされる（以下、部分駆動と呼ぶ）ようになっている。特許文献１には、この技術によって画面書き換えの高速化、表示体の消費電力低減、を図ることができることが述べられている。
【０００４】
また、特許文献２には、表示パネルのサイズに合わせて内部電源が供給する電流の能力を切り替える技術が開示されている。
【先行技術文献】
【特許文献】
【０００５】
【特許文献１】特開２００９−４２７８０号公報
【特許文献２】特開２００２−１１０９２２号公報
【発明の概要】
【発明が解決しようとする課題】
【０００６】
特許文献１に記載されている構成によれば、表示しようとする画面の内容に応じて、表示体において消費される電力が低減される。しかしながら、表示体を駆動する電源の能力は、全画面駆動時の最大負荷を想定して設計されている。部分駆動を行うことで、パネルで消費される電力は低減できても、電源の能力は同じなので、電源自体の消費電力は削減することができない。
【０００７】
他方、特許文献２に記載されている構成においては、ある特定の表示パネルにおいてこれから表示しようとする画像にあわせてリアルタイムに電源の能力を切替えることは行われていなかった。
【０００８】
本発明は、上記の事情を考慮してなされたものであり、従来に比べ、消費電力を低減することができる電気光学装置及びその制御方法並びに電子機器を提供することを目的とする。より具体的には、電気光学装置が備える内部電源回路における消費電力を低減することができる電気光学装置及びその制御方法並びに電子機器を提供することを目的とする。
【課題を解決するための手段】
【０００９】
上記課題を解決するため、請求項１記載の発明は、複数の走査線と、前記複数の走査線に対して交差する複数のデータ線と、前記複数の走査線のうち一の走査線と前記複数のデータ線のうち一のデータ線との交点に対応して設けられた画素と、前記画素と前記一のデータ線との間に電気的に接続された駆動トランジスタと、前記複数の走査線が電気的に接続された走査線駆動回路と、前記複数のデータ線に電気的に接続され、表示される画像に応じて前記複数のデータ線のうち一のデータ線に複数のデータ信号を順次出力するデータ線駆動回路と、前記データ線駆動回路に電流を供給するものであって、該電流の供給能力を切り替え可能な電源回路と、複数の前記画素によって表示されている画像を書き換えるための負荷を解析し、前記負荷に応じて前記電源回路の電流供給能力を切り替えた後、前記データ線駆動回路に前記複数のデータ信号のうち一のデータ信号を出力させるコントローラとを備えたことを特徴とする電気光学装置である。
【００１０】
この発明によれば、コントローラによって、複数の画素によって表示されている画像を書き換えるための負荷を解析し、解析した負荷に応じて電源回路の電流供給能力を切り替えた後、データ線駆動回路に複数のデータ信号のうち一のデータ信号を出力させるようにしたので、負荷が比較的小さい場合に電源回路の電流供給能力を抑えることで、容易に電気光学装置が備える内部電源回路における消費電力を低減することができる。
【００１１】
請求項２記載の発明は、前記コントローラが、前記複数の走査線のうち第１の走査線を選択する前に、該第１の走査線に対応する複数の前記画素によって次に表示される第１の画像を表す第１の画像データと、前記複数の走査線のうち直前に選択された第２の走査線に対応する複数の前記画素によって表示される第２の画像を表す第２の画像データと、を比較することによって、表示状態が互いに異なる２つの画素双方に対応する一の前記データ線を特定し、前記負荷を解析することを特徴とする。
【００１２】
この発明によれば、コントローラによって、表示状態が互いに異なる２つの画素双方に対応する一のデータ線を特定し、負荷を解析するようにしたので、負荷解析の対象となるデータ線を限定し、解析に係る処理を比較的容易に行うことができるようになる。
【００１３】
請求項３記載の発明は、前記コントローラが、前記特定されたデータ線の数に応じて、前記負荷に応じた前記電源回路の電流供給能力の切り替え、を行うことを特徴とする。
【００１４】
この発明によれば、コントローラによって、特定されたデータ線の数に応じて、負荷に応じた電源回路の電流供給能力の切り替えを行うようにしたので、解析に係る処理を比較的容易に行うことができるようになる。
【００１５】
請求項４記載の発明は、前記電源回路が、演算増幅器を用いたボルテージフォロワを複数有するものであり、前記コントローラが、前記電源回路の電流供給能力を引き下げる際に、その複数の演算増幅器のうちの少なくとも１つの動作を制限することを特徴とする。
【００１６】
この発明によれば、電源回路を演算増幅器を用いたボルテージフォロワを複数有するものとし、コントローラによって、電源回路の電流供給能力を引き下げる際に、その複数の演算増幅器のうちの少なくとも１つの動作を制限するようにしたので、演算増幅器の動作電流を容易に低減することができ、電源回路の消費電流を容易に低減することがでる。
【００１７】
請求項５記載の発明は、請求項１から４のいずれか１項に記載の電気光学装置を備えたことを特徴とする電子機器である。
【００１８】
請求項６記載の発明は、複数の走査線と、前記複数の走査線に対して交差する複数のデータ線と、前記複数の走査線のうち一の走査線と前記複数のデータ線のうち一のデータ線との交点に対応して設けられた画素と、前記画素と前記一のデータ線との間に電気的に接続された駆動トランジスタと、前記複数の走査線が電気的に接続された走査線駆動回路と、前記複数のデータ線が電気的に接続されたデータ線駆動回路と、前記データ線駆動回路に電流を供給するものであって、該電流の供給能力を切り替え可能な電源回路とを備える電気光学装置の制御方法であって、複数の前記画素によって表示されている画像を書き換えるための負荷を解析し、前記負荷に応じて前記電源回路の電流供給能力を切り替えた後、前記複数の画素によって表示されている画像を書き換えることを特徴とする電気光学装置の制御方法である。
【図面の簡単な説明】
【００１９】
【図１】本発明による電気光学装置の一実施の形態を示すブロック図である。
【図２】図１の記憶性表示体１１の電気的構成の一例を示す回路図である。
【図３】図１の第２表示体電源２０の構成例を説明するためのブロック図である。
【図４】図１の記憶性表示体１１の動作例を説明するための模式図である。
【図５】図１の記憶性表示体１１の動作例を説明するための模式図である。
【図６】図１の表示体コントローラ１８による動作例を説明するための図である。
【図７】本発明の実施形態２におけるデータ線ドライバ１３周辺の回路構成を示すブロック図である。
【図８】図１の電気光学装置１を用いた電子機器の一例を示す正面図である。
【図９】図１の電気光学装置１を用いた電子機器の一例を示す斜視図である。
【図１０】図１の電気光学装置１を用いた電子機器の一例を示す斜視図である。
【発明を実施するための形態】
【００２０】
（実施形態１）
以下、図面を参照して本発明の実施形態について説明する。図１は、本発明による電気光学装置の一実施の形態の構成を示すブロック図である。図１に示す電気光学装置１は、記憶性表示体１１、走査線ドライバ１２、データ線ドライバ１３、座標検出手段１４、メインＣＰＵ（中央処理装置）１５、ＲＯＭ（リードオンリメモリ）１６、ＶＲＡＭ（ビデオ・ランダムアクセスメモリ）１７、表示体コントローラ１８、第１表示体電源１９及び第２表示体電源２０を備えて構成されている。また、図１の電気光学装置１には、図示していないバッテリ、電源回路、各種操作子、フラッシュメモリ等の不揮発性メモリやメモリカードの着脱スロット、通信回路等の構成を備えている。
【００２１】
本実施形態において、記憶性表示体１１は、電気泳動表示素子、コレステリック液晶等の記憶性を有する表示素子を用いて構成された複数の画素を有する表示体である。記憶性表示体１１は、例えば図２に示すような電気的構成を有している。図２に示す例では、記憶性表示体１１が、並列に設けられた複数の走査線１１１と、複数の走査線１１１に対して交差方向に並列して設けられた複数のデータ線１１２とを有して構成されている。そして、記憶性表示体１１には、走査線１１１とデータ線１１２との交点に対応して設けられた画素１１３と、画素１１３に対応して設けられた第１の電極１１４と、複数の画素１１３に対して共通に設けられた第２の電極１１５と、第１の電極１１４と一のデータ線１１２との間にそれぞれ設けられ、一の走査線１１１に対応する駆動トランジスタ１１６とが設けられている。駆動トランジスタ１１６は、薄膜トランジスタであり、走査線１１１にゲートが接続されるとともに、信号線１１２と第１の電極１１４にドレインとソースが接続されている。第２の電極１１５は、コモン電極と呼ばれる電極である。この第１の電極１１４と第２の電極１１５間に、電気泳動素子等の表示素子が配置されている。
【００２２】
図１の走査線ドライバ１２は、図２の複数の走査線１１１を順次駆動する回路である。走査線ドライバ１２は、第１表示体電源１９の出力を電源とし、表示体コントローラ１８から送られてくる制御信号に従って複数の走査線１１１のうちの一を選択して所定の電圧を印加する。データ線ドライバ１３は、図２の複数のデータ線１１２を、第２表示体電源２０の出力を電源として一括して駆動する回路である。具体的には、データ線ドライバ１３は、表示される画像に応じて、一のデータ線１１２に複数のデータ信号を順次供給する。なお、図２には、後述する動作説明で用いる符号（１１２ａ等）を括弧でくくって示している。
【００２３】
第１表示体電源１９は、走査線ドライバ１２に対して所定の電圧の電源を供給する回路であり、表示体コントローラ１８によって出力状態が制御される。
【００２４】
第２表示体電源２０は、データ線ドライバ１３に対してデータ線１１２の駆動に必要な電流を供給する回路であって、表示体コントローラ１８からの制御信号に基づいてその電流の供給能力が切り替え可能となっている。また、第２表示体電源２０は、データ線ドライバ１３に対して所定の正の電圧と、負の電圧とを供給する電源である。図３に、第２表示体電源２０の構成例を示した。図３は、第２表示体電源２０において、正の電圧を発生する部分の構成を示している。したがって、第２表示体電源２０には、さらに負の電圧を発生する部分の構成が設けられている。本明細書では、所定の基準電圧よりも高い電圧を正の電圧とし、基準電圧よりも低い電圧を負の電圧とする。基準電圧は０（ゼロ）ボルトとは限らない。
【００２５】
図３に示す、第２表示体電源２０の正の電圧の発生部分は、印加電圧生成ブロック２０１と、４個の演算増幅器（あるいはオペアンプ）ＡＭＰ１〜ＡＭＰ４と、スイッチＳＷ２ａ、ＳＷ３ａ、ＳＷ４ａ、ＳＷ２ｂ、ＳＷ３ｂおよびＳＷ４ｂとから構成されている。印加電圧生成ブロック２０１は、データ線ドライバ１３に対して印加される正の電圧の基準値を生成する回路である。印加電圧生成ブロック２０１の出力は、演算増幅器ＡＭＰ１〜ＡＭＰ４の非反転入力端子に入力されている。演算増幅器ＡＭＰ１〜ＡＭＰ４は、出力端子と反転入力端子とを接続した、ボルテージフォロワとして構成されていて、正及び負の電圧Ｖ＋及びＶ−を電源として、出力端子の電圧が、非反転入力端子に入力された電圧値と同一となるように制御される。
【００２６】
演算増幅器ＡＭＰ１の出力端子がデータ線ドライバ１３に接続されている。演算増幅器ＡＭＰ２は、電源Ｖ＋にスイッチＳＷ２ａを介して接続されるとともに、その出力端子がスイッチＳＷ２ｂを介して演算増幅器ＡＭＰ１の出力端子に接続されている。演算増幅器ＡＭＰ３は、電源Ｖ＋にスイッチＳＷ３ａを介して接続されるとともに、その出力端子がスイッチＳＷ３ｂを介して演算増幅器ＡＭＰ１の出力端子に接続されている。演算増幅器ＡＭＰ４は、電源Ｖ＋にスイッチＳＷ４ａを介して接続されるとともに、その出力端子がスイッチＳＷ４ｂを介して演算増幅器ＡＭＰ１の出力端子に接続されている。
【００２７】
演算増幅器ＡＭＰ１〜ＡＭＰ４は、動作状態では、出力端子からの出力電流がほぼ零であっても、電源Ｖ＋から電源Ｖ−へ内部素子を通ってある程度の動作電流Ｉｑが流れるようになっている。演算増幅器ＡＭＰ１については、電源Ｖ＋及び電源Ｖ−に接続されているので、動作電流Ｉｑが常に消費されることになる。一方、演算増幅器ＡＭＰ２〜ＡＭＰ４については、スイッチＳＷ２ａ〜ＳＷ４ａをオフすることで、動作電流Ｉｑを零（あるいはほぼ零）とすることができるようになっている。
【００２８】
なお、スイッチＳＷ２ａとスイッチＳＷ２ｂは、表示体コントローラ１８からの制御信号に基づいて、連動して動作するスイッチであり、同時にオン又はオフするよう動作する。同様に、スイッチＳＷ３ａとスイッチＳＷ３ｂは、表示体コントローラ１８からの制御信号に基づいて、連動して動作するスイッチであり、同時にオン又はオフするよう動作する。同様に、スイッチＳＷ４ａとスイッチＳＷ４ｂは、表示体コントローラ１８からの制御信号に基づいて、連動して動作するスイッチであり、同時にオン又はオフするよう動作する。
【００２９】
また、演算増幅器ＡＭＰ１〜ＡＭＰ４は、電流出力能力（すなわち出力段のトランジスタの駆動能力）が互いに異なるように内部回路が構成されていて、この場合、各演算増幅器の出力能力は、ＡＭＰ１：ＡＭＰ２：ＡＭＰ３：ＡＭＰ４＝１：１：２：４となるように設定されている。
【００３０】
また、図１の座標検出手段１４は、記憶性表示体１１に対する専用ペン（ペン型の入力装置）２によるユーザによる書き込み操作を検知し、専用ペン２が操作された座標情報を出力する。
【００３１】
また、図１のメインＣＰＵ１５は、ＲＯＭ１６に格納されているプログラムを実行することで各部を制御する。メインＣＰＵ１５は、例えば、ＶＲＡＭ１７に記憶した画像データに基づいて表示体コントローラ１８を制御して、記憶性表示体１１に画像データを表示したり、座標検出手段１４によって検知された座標データに基づいて表示体コントローラ１８を制御して、記憶性表示体１１に専用ペン２で描かれた画像や文字を表示したりする。
【００３２】
また、表示体コントローラ１８は、ＣＰＵ１５から送られてきた画像データに基づいて第１表示体電源１９、第２表示体電源２０及び走査線ドライバ１２を制御する。本実施形態では、特に、表示体コントローラ１８は、記憶性表示体１１の複数の画素１１３によって表示されている画像を書き換えるための負荷を解析し、その負荷に応じて第２表示体電源２０の電流供給能力を切り替え、切り替えを行った後、複数の画素１１３によって表示されている画像を書き換える制御を行うようになっている。
【００３３】
なお、本実施形態において画像を書き換えるための負荷とは、データ線１１２の電位を切り替える際に必要となる電荷の充放電に対応するものである。本実施形態では、画像表示を行う際、図２の複数の走査線１１１を順に１本ずつ時分割で駆動し、走査線１１１の選択タイミングに応じて複数のデータ線１１２を所定の複数の電圧レベルに一括して駆動することで、各画素１１３の第１の電極１１４の電位を設定する。その際、データ線１１２の電位を切り替えるには、走査線１１１によって選択された各画素１１３の第１の電極１１４と第２の電極１１５間の容量だけでなく、データ線１１２の寄生容量に対する電荷の充放電が必要となる。ただし、データ線１１２の寄生容量に対する電荷の充放電は、走査線１１１の各走査（すなわち異なる走査線１１１の各選択動作）において、表示する画像データを切り替える場合すなわちデータ線１１２の電位レベル（データ信号）を切り替える場合に比較的大きく発生する。すなわち、たとえば図２において、走査線１１１ａの次に走査線１１１ｂが選択されるとしたとき、走査線１１１ａが選択されたときのデータ線１１２ａの電位レベルＶｄａと走査線１１１ｂが選択されたときのデータ線１１２ａの電位レベルＶｄｂとが互いに異なる場合に、比較的大きな充電又は放電電流が発生し、電位レベルＶｄａと電位レベルＶｄｂとが等しい場合には、充放電電流はほとんど発生しないことになる。そのため、本実施形態の表示体コントローラ１８は、データ線１１２各々に供給されるデータ信号に基づいて、データ線１１２の寄生容量に対する比較的大きな充放電電流が発生するデータ線１１２を特定し、画像を書き換えるための負荷すなわち電源に対する負荷を解析するようにしている。
【００３４】
これを複数のデータ線１１２について考えると、表示体コントローラ１８は、複数の走査線１１１のうち走査線１１１ｂ（第１の走査線とする）を選択する前に、第１の走査線に対応する複数の画素１１３によって表示される第１の画像を表す第１の画像データと、複数の走査線１１１のうち直前に選択された走査線１１１ａ（第２の走査線とする）に対応する複数の画素１１３によって表示される第２の画像を表す第２の画像データとを比較した場合に、表示状態が互いに異なる２つの画素１１３双方に対応する一のデータ線１１２を特定し、負荷を解析することになる。具体的には、たとえばデータ線１１２ａに対しては、画素１１３ｂａの表示状態を画素１１３ａａの表示状態と比較し、それらが互いに異なる場合、データ線１１２ａは、表示状態が互いに異なる２つの画素１１３双方に対応する一のデータ線である、と特定される。それらが互いに同じ場合は、表示状態が互いに異なる２つの画素１１３双方に対応する一のデータ線である、とは特定されない。上記の解析によって、表示状態が互いに異なる２つの画素１１３双方に対応する一のデータ線である、と特定されたデータ線１１３の数が多いほど、画像を書き換えるために第２表示体電源２０にかかる負荷が大きい。そこで、表示体コントローラ１８は、特定されたデータ線１１３の数、つまり第２表示体電源２０にかかる負荷に応じて電流供給能力を切り替える。
【００３５】
次に、図４〜図６を参照して、図１〜図３に示した構成のさらに具体的な構成の説明及び動作の説明を行う。図４は、電気光学装置１に対して専用ペン２で手書き動作を行った場合の表示例を示す図である。図５は、表示体コントローラ１８における負荷解析の手法を説明するための図である。図６は、表示体コントローラ１８による負荷解析結果に基づく第２表示体電源２０の電源能力切り替え手法を説明するための図である。
【００３６】
ここでは、図１の電気光学装置１を用いてユーザが専用ペン２を用いて図４（ａ）のようにスケジュールに丸いしるし１１ａを記入するような入力操作を行ったときの動作を説明する。メインＣＰＵ１５は座標検出手段１４からのデータを受信して、現画像と比較を行い書き換えが必要なエリアを判断する。メインＣＰＵ１５は、書換エリアに必要な画像データを加工して表示体コントローラ１８に転送するとともに、フラグ（以下、スキップフラグ）に値を格納する。スキップフラグは各走査線１１１に対応した１ｂｉｔの値を格納する。「０」の場合は駆動をスキップし、「１」の場合は駆動する。
【００３７】
表示体コントローラ１８は、メインＣＰＵ１５からの制御信号に基づいて、記憶性表示体１１の駆動に必要な信号やタイミングの生成、画像の変換等を行う。また、記憶性表示体１１を駆動するための信号を用いて、走査線１１１毎に、駆動するデータ線１１２の負荷に対応して第２表示体電源２０の電源能力を切替える信号を生成する。
【００３８】
走査線ドライバ１２は、表示体コントローラ１８で生成された信号・タイミングによって走査線を駆動する。走査線ドライバ１２の内部はシフトレジスタとレベルシフタによって構成され、走査線駆動の開始を示すパルス信号によってシフトレジスタがリセットされ、シフトパルスによってシフトレジスタの進む方向が決まる。シフトレジスタは  走査タイミングを示すクロック信号が入力されるごとにスキップフラグの値を参照しながら次段に進む。このとき、スキップフラグの値が「０」となっている走査線は駆動（選択）しない。すなわち、当該走査線に接続された駆動トランジスタのゲートは開かない。スキップフラグの値が「１」となっている走査線は駆動する。例えば、図４（ａ）に示すように、ユーザが専用ペン２を用いて丸いしるし１１ａを記入するような入力操作を行った場合、図４（ｂ）に示すように、丸いしるし１１ａに対応するエリアが駆動エリア、他のエリアが非駆動エリアに設定され、駆動エリアに対応する走査線１１１のみが順次選択されて駆動されることになる。
【００３９】
データ線ドライバ１３は、表示体コントローラ１８で生成された信号・タイミングによってデータ線にデータ信号を供給する。また、上述したように、第２表示体電源２０は、印加電圧生成ブロック２０１と、最終段アンプ群（演算増幅器ＡＭＰ１〜ＡＭＰ４）とを、正側と負側の１組分備えて構成されている。印加電圧生成ブロック２０１は、記憶性表示体１１の駆動に適した複数の電圧を生成し、それぞれ最終段アンプ群に入力する。
【００４０】
図３に示したように、最終段アンプ群は、データ線１１２の負荷容量の変化に対応するため、演算増幅器ＡＭＰ１〜ＡＭＰ４をボルテージフォロワ構成とするとともに、動作させる演算増幅器の数を変化させることで電流供給能力を変化可能としたものである。すなわち、最終段アンプ群は、４つの演算増幅器ＡＭＰ１〜ＡＭＰ４からなり、そのうちＡＭＰ２、ＡＭＰ３とＡＭＰ４は、表示体コントローラ１８からの制御信号によって、アンプ電源Ｖ＋をオン／オフするスイッチＳＷ２ａ、ＳＷ３ａ、ＳＷ４ａと、アンプ出力をオン／オフするスイッチＳＷ２ｂ、ＳＷ３ｂ、ＳＷ４ｂを備えている。各アンプの能力は、上述したように、ＡＭＰ１：ＡＭＰ２：ＡＭＰ３：ＡＭＰ４＝１：１：２：４であり、アンプ出力を遮断／投入するスイッチの非アンプ側はいずれもデータ線ドライバ１３に接続される。すべてのスイッチがオンのときは、すべてのアンプが接続されるので最大の電源能力（８＝１＋１＋２＋４）で動作する。最大の電源能力は、記憶性表示体１１のワースト条件を想定した負荷を駆動できるように設計する。切替え信号によってスイッチをオンまたはオフさせていくことで電源能力を切替えていき、すべてのスイッチがオフのときは最小の電源能力（１）で動作する。
【００４１】
次に、表示体コントローラ１８による負荷の解析と解析結果に基づく第２表示体電源２０の制御の方法について説明する。ここでは、記憶性表示体１１の仕様は、図５に示すように、走査線４０９６本×データ線３０７２本、また、各画素の表示状態は白または黒として説明する。また、データ線に供給すべき電位レベル（データ信号）については、便宜的に、白を表示するときの電位レベルを「０」とし、黒を表示するときの電位レベルを「１」とする。データ線に供給すべき電位レベルが「０」から「１」に変化する場合に、第２表示体電源２０の正側の最終段アンプ群からデータ線１１２に対して電流（例えば充電電流）が供給され、データ線に供給すべき電位レベルが「１」から「０」に変化する場合は、第２表示体電源２０の負側の最終段アンプ群からデータ線１１２に対して電流（例えば放電電流）が供給されることとする。
【００４２】
表示体コントローラ１８は、まず、スキップフラグの値が「１」であり、かつ続けて選択される２本の走査線１１１ａと走査線１１１ｂに対応する画素の画素データを、データ線１１２の方向（図５の上下方向）で比較する。具体的には既に説明したように、走査線１１１ａとデータ線１１２ａに対応する画素１１３ａａの表示状態と走査線１１１ｂとデータ線１１２ａに対応する画素１１３ｂａの表示状態とを比較する。そして、画素１１３ａａの表示状態が画素１１３ｂａの表示状態と異なる場合、データ信号の変化の数として「１」をカウントする。この比較を同時に駆動される総てのデータ線について行なう。本実施形態では３０７２本のデータ線１１２が同時に駆動されるので、３０７２本のデータ線１１２に対してこの比較を行なう。総てのデータ線１１２においてデータ信号が変化するならば、データ信号の変化の数は３０７２である。
【００４３】
図５に示す例では、３本の走査線１１１について、走査線１１１ａに対応する３０７２本のデータ線１１２に供給されるデータ信号がすべて「１」、走査線１１１ａの次に選択される走査線１１１ｂに対応する３０７２本のデータ線１１２に供給されるデータ信号がすべて「０」、そして、その次に選択されるの走査線１１１ｃに対応する３０７２本のデータ線１１２に供給されるデータ信号がすべて「１」となっている。この場合、走査線１１１ｂを選択する際にはすべてのデータ線１１３の電位レベルを「１」から「０」に切り替えなければならない。すなわち、第２表示体電源２０の負側の最終段アンプ群から３０７２本のデータ線１１２に対して電流を供給（すなわち放電電流の引き込みを）することになる。一方、走査線１１１ｃを選択する際にはすべてのデータ線１１３のレベルを「０」から「１」に切り替えなければならない。すなわち、第２表示体電源２０の正側の最終段アンプ群から３０７２本のデータ線１１２に対して電流を供給（すなわち充電電流を供給）することになる。
【００４４】
ここで、走査線１１１ｂを選択するときのデータ信号の変化の数は３０７２であり、走査線１１１ｃを選択するときのデータ信号の変化の数も３０７２である。しかし、すべてのデータ線においてデータ信号の変化が「０」から「１」ではなく、「０」から「０」や「１」から「１」や「１」から「０」が混在していた場合には、データ信号の変化の数は、０〜３０７２の間の値となる。
【００４５】
図６に、データ信号の変化の数と、表示体コントローラ１８による制御との対応関係を示した。例えば、変化数０〜３８３の場合は、スイッチＳＷ４ａ及びＳＷ４ｂ（図６ではＳＷ４と表記）、ＳＷ３ａ及びＳＷ３ｂ（図６ではＳＷ３と表記）、ＳＷ２ａ及びＳＷ２ｂ（図６ではＳＷ２と表記）をすべてオフ（ＯＦＦ）とすることによって、演算増幅器ＡＭＰ１のみを動作させ、演算増幅器ＡＭＰ２〜ＡＭＰ４は動作させない。例えば、変化数３８４〜７６７の場合は、スイッチＳＷ４ａ及びＳＷ４ｂ、ＳＷ３ａ及びＳＷ３ｂをオフとして、ＳＷ２ａ及びＳＷ２ｂをオン（ＯＮ）とすることによって、演算増幅器ＡＭＰ１と演算増幅器ＡＭＰ２を動作させ、演算増幅器ＡＭＰ３及びＡＭＰ４は動作させない。以下、同様に、データ信号の変化数に合わせて動作させる演算増幅器を選択することによって、データ信号の変化数の増加に合わせて第２表示体電源２０の電流供給能力を大きくしている。
【００４６】
このように、一の走査線に対応する画素の表示を書き換えるためのデータ信号をデータ線ドライバ１３が出力する前に、第２表示体電源２０の電流供給能力を調節し、その後、データ線ドライバ１３がデータ信号を出力する。
【００４７】
以上の構成によれば、画像データの解析結果に基づいて電源回路（第２表示体電源２０）の電流供給能力を走査線単位で切り替えることで、駆動の負荷が小さいときには第２表示体電源２０の電流供給能力を小さくしているため、電源回路自体の消費電流を低減することができ、記憶性表示体１１の第２表示体電源２０の低消費電力化を図ることができる。
【００４８】
（実施形態２）
実施形態１では、データ線ドライバ１３は総てのデータ線１１２を一括して同時に駆動するものとして、総てのデータ線１１２に対する負荷の総和を評価して第２表示体電源２０の電流供給能力を切り替えたが、本実施形態では、図７に示したように、複数のデータ線１１２をＬ本ずつのｎ個のグループ（Ｇ１〜Ｇｎ）に分割して、グループ毎に駆動する場合について説明する。この場合、データ線ドライバ１３から同時に出力すべきデータ信号はＬ個であり、データ線ドライバ１３のデータ信号出力端子はＬ個である。データ信号出力端子にはＬ本の画像データ配線Ｒが接続されている。また、データ線ドライバ１３は、画像データ配線Ｒとデータ線１１２との電気的接続を制御する機能と、画像データ配線Ｒを介してデータ信号をデータ線に供給する機能と、を備える。
【００４９】
実施形態２では、一の走査線１１１が選択されている期間のうち、たとえば第１の期間に１番目からＬ番目のＬ本のデータ線１１２に同時にデータ信号が供給され、たとえば第２の期間にはＬ＋１番目から２Ｌ番目のＬ本のデータ線１１２に同時にデータ信号が供給される。このように、複数のデータ線１１２はグループ毎に駆動される。
【００５０】
画像を書き換えるための負荷を解析するためには、駆動されるデータ線のグループが順次切り替わる毎に、一の画像データ配線Ｒに供給されるデータ信号を、グループの切り替わりの前後で比較する。グループの切り替わりの前後でデータ信号が変化するならば、データ信号の変化の数として「１」をカウントする。この比較を総ての画像データ配線Ｒに対して行ない、データ信号の変化の総和を求める。そして、データ信号の変化数に応じて電源回路（第２表示体電源２０）の電流供給能力を切り替えた後、画像データ配線Ｒを介して次のグループに属するＬ本のデータ線にデータ信号を供給する。このように、複数のデータ線１１２をグループ毎に駆動する場合にも、実施形態１と同様な効果が得られる。
【００５１】
なお、上記実施形態では、表示媒体として、記憶性表示体１１を用いることとしているが、記憶性を有しない、液晶等を用いた表示体に対しても電源回路の電流供給能力の切り替え制御を行うことが可能である。
【００５２】
また、上記実施形態では、専用ペン２と位置検出手段１４を有する表示体システム（電気光学装置１）において、記憶性表示体１１の一部の走査線を部分駆動する場合について説明したが、ユーザが入力する手段や、走査線の駆動方式はこれに限らない。たとえばユーザが記憶性表示体を含む製品に搭載されたハードウェアボタン、トラックボール等、ポインティングデバイスを押下することで表示体が部分駆動する場合も適用できる。また、部分駆動を行わずに、すべての走査線を駆動する方式を採用することもできる。
【００５３】
また、上記実施形態では、専用ペン２と位置検出手段１４を有する表示体システムにおいて、これを用いて入力した軌跡を部分駆動によって表示させる場合について説明したが、次画面に表示される画像はこれに限らない。たとえばユーザが専用ペンを用いてメニューアイコンを押下した結果、次画面の一部分にメニュー画面が表示されるような場合も適用できる。
【００５４】
また、上記実施形態では、記憶性表示体１１が走査線４０９６本×データ線３０７２本、各画素の表示状態が白または黒である場合を例にあげて説明したが、これに限らない。例えば各画素において多階調表示を行い、階調値の変化に応じて第２表示体電源２０の電流供給能力を制御する構成を採用することが可能である。
【００５５】
また、上記実施形態では、データ信号が「１」と「０」との間で変化する数をカウントしていたが、解析方法はこれに限らない。例えば空間周波数を演算して負荷情報の判定に用いてもよい。
【００５６】
また、上記実施形態では、第２表示体電源２０の出力回路として演算増幅器のボルテージフォロワ構成を用いて説明したが、出力回路はこれに限らない。また、第２表示体電源２０の正側電源と負側電源の構成は同一であっても、互いに異なるものであってもよい。また、電流供給能力の切り替え段数を正側と負側で異ならせるようにしても良い。
【００５７】
次に、上記実施形態１の電気光学装置１を電子機器に適用した場合について説明する。図８は、腕時計１０００の正面図である。腕時計１０００は、時計ケース１００２と、時計ケース１００２に連結された一対のバンド１００３とを備えている。時計ケース１００２の正面には、上記各実施形態の電気光学装置１からなる表示部１００５と、秒針１０２１と、分針１０２２と、時針１０２３とが設けられている。時計ケース１００２の側面には、操作子としての竜頭１０１０と操作ボタン１０１１とが設けられている。竜頭１０１０は、ケース内部に設けられる巻真（図示は省略）に連結されており、巻真と一体となって多段階（例えば２段階）で押し引き自在、かつ、回転自在に設けられている。表示部１００５では、背景となる画像、日付や時間などの文字列、あるいは秒針、分針、時針などを表示することができる。
【００５８】
図９は電子ペーパー１１００の構成を示す斜視図である。電子ペーパー１１００は、上記実施形態の電気光学装置１を表示領域１１０１に備えている。電子ペーパー１１００は可撓性を有し、従来の紙と同様の質感および柔軟性を有する書き換え可能なシートからなる本体１１０２を備えて構成されている。
【００５９】
図１０は、電子ノート１２００の構成を示す斜視図である。電子ノート１２００は、上記の電子ペーパー１１００が複数枚束ねられ、カバー１２０１に挟まれているものである。カバー１２０１は、例えば外部の装置から送られる表示データを入力する図示は省略の表示データ入力手段を備える。これにより、その表示データに応じて、電子ペーパーが束ねられた状態のまま、表示内容の変更や更新を行うことができる。
【００６０】
以上の腕時計１０００、電子ペーパー１１００、および電子ノート１２００によれば、本発明に係る電気光学装置１が採用されているので、低消費電力化を図った電子機器となる。
【００６１】
なお、上記の電子機器は、本発明に係る電子機器を例示するものであって、本発明の技術範囲を限定するものではない。例えば、携帯電話、携帯用オーディオ機器などの電子機器の表示部にも、本発明に係る電気光学装置１は好適に用いることができる。
【００６２】
以上、添付図面を参照しながら本発明に係る好適な実施形態について説明したが、本発明は係る例に限定されないことは言うまでもない。当業者であれば、特許請求の範囲に記載された技術的思想の範疇内において、各種の変更例または修正例に想到し得ることは明らかであり、それらについても当然に本発明の技術的範囲に属するものと了解される。
【符号の説明】
【００６３】
１…電気光学装置、１１…記憶性表示体、１２…走査線ドライバ（走査線駆動回路）、１３…  データ線ドライバ（データ線駆動回路）、１４…座標検出手段、１５…メインＣＰＵ、１６…ＲＯＭ、１７…ＶＲＡＭ、１８…表示体コントローラ、１９…第１表示体電源、２０…第２表示体電源（電源回路）、１１１…走査線、１１２…データ線、１１３…画素、１１４…第１の電極、１１５…第２の電極、１１６…駆動トランジスタ、ＡＭＰ１〜ＡＭＰ４…演算増幅器、２０１…印加電圧生成ブロック、ＳＷ２ａ〜ＳＷ４ａ、ＳＷ２ｂ〜ＳＷ４ｂ…スイッチ
【図１】
2011221095.tif 000003
【図２】
2011221095.tif 000004
【図３】
2011221095.tif 000005
【図４】
2011221095.tif 000006
【図５】
2011221095.tif 000007
【図６】
2011221095.tif 000008
【図７】
2011221095.tif 000009
【図８】
2011221095.tif 000010
【図９】
2011221095.tif 000011
【図１０】
2011221095.tif 000012